Podtech/llm-jp-corpus-v4-ja_patent huggingface dataset:
(57)【要約】【課題】多種の機能を有するマウスを提供する。【解決手段】本考案に係る無線式の多機能マウスは、電子装置に用いられ、電源、マウスモジュール、スピーカーモジュール、マイクロホンモジュール及び無線伝送モジュールを備える。前記電源は、前記マウスモジュール、前記スピーカーモジュール及び前記マイクロホンモジュールに接続されて、それぞれに必要な電力を提供する。前記マウスモジュール、前記スピーカーモジュール及び前記マイクロホンモジュールは、すべて無線伝送モジュールに電気接続される。前記無線伝送モジュールは、前記電子装置と送受信する。【選択図】図１
0003167856.tif 000002
【実用新案登録請求の範囲】
【請求項１】
電子装置に用いられる無線式の多機能マウスであって、
前記多機能マウスは、電源、マウスモジュール、スピーカーモジュール、マイクロホンモジュール及び無線伝送モジュールを備え、
前記電源は、前記マウスモジュール、前記スピーカーモジュール及び前記マイクロホンモジュールに接続されて、それぞれに必要な電力を提供し、
前記マウスモジュール、前記スピーカーモジュール及び前記マイクロホンモジュールは、すべて無線伝送モジュールに電気接続され、
前記無線伝送モジュールは、前記電子装置と送受信することを特徴とする多機能マウス。
【請求項２】
前記無線伝送モジュールの伝送方式は、ブルートゥース或いは２．４Ｇ無線周波であることを特徴とする請求項１に記載の多機能マウス。
【考案の詳細な説明】
【技術分野】
【０００１】
本考案は、多種の機能を有するマウスに関するものである。
【背景技術】
【０００２】
コンピューターの普及に伴い、それに欠くことのできない外接部品とするマウスも多様化になる。今は、主に有線マウスと無線マウスとに分けられている。しかし、市販されているマウスの殆どは、機能が単一で、使用不便である。
【考案の概要】
【考案が解決しようとする課題】
【０００３】
そこで、本考案は上記の問題点を考慮した上で、多種の機能を有するマウスを提供することを目的とする。
【課題を解決するための手段】
【０００４】
前記課題を解決するために、本考案に係る多機能マウスは、電子装置に用いられ、且つ電源、マウスモジュール、スピーカーモジュール、マイクロホンモジュール及び無線伝送モジュールを備える。前記電源は、前記マウスモジュール、前記スピーカーモジュール及び前記マイクロホンモジュールに接続されて、それぞれに必要な電力を提供する。前記マウスモジュール、前記スピーカーモジュール及び前記マイクロホンモジュールは、すべて無線伝送モジュールに電気接続される。前記無線伝送モジュールは、前記電子装置と送受信する。
【考案の効果】
【０００５】
従来の技術に比べて、本考案に係る多機能マウスは、スピーカーモジュール及びマイクロホンモジュールを備えるので、無線伝送により入力機能の上で、スピーカー及びマイクロホンの機能も兼備する。従って、本考案の多機能マウスは、電子装置の外接ポート及び補助設備を減少させて、コストを下げた。しかも、前記多機能マウスは、無線伝送により作動するので、携帯及び使用も便利である。
【図面の簡単な説明】
【０００６】
【図１】本考案の多機能マウスの機能ブロック図である。
【考案を実施するための形態】
【０００７】
図１に示したように、本考案に係る多機能マウス１０は、無線信号を送受信でき、メカニカル式或いはトラッキングボール式である。前記多機能マウス１０は、電子装置７０（例えば、コンピューター）と無線信号を送受信することができ、且つ電源２０、マウスモジュール３０、スピーカーモジュール４０、マイクロホンモジュール５０及び無線伝送モジュール６０を備える。前記電子装置７０は、電源７１及び無線伝送モジュール７２を備える。
【０００８】
前記電源２０は、それぞれ前記マウスモジュール３０、前記スピーカーモジュール４０及び前記マイクロホンモジュール５０に電気接続され、且つそれらに必要な電力を提供する。本実施形態において、前記電源２０は、充電式バッテリーである。
【０００９】
前記マウスモジュール３０、前記スピーカーモジュール４０及び前記マイクロホンモジュール５０は、すべて前記無線伝送モジュール６０に接続されている。前記マウスモジュール３０は、前記多機能マウス１０による前記電子装置７０のインターフェースに対する選定或いは入力操作を実現する。前記スピーカーモジュール４０は、前記電子装置７０内の各種のオーディオ（図示せず）を再生することに用いられる。前記マイクロホンモジュール５０は、オーディオを入力することに用いられる。前記無線伝送モジュール６０は、ブルートゥース（Ｂｌｕｅｔｏｏｔｈ）或いは２．４Ｇ無線周波等であることができる。
【００１０】
前記多機能マウス１０を介して前記電子装置７０を操作する場合、前記電源２０は、前記マウスモジュール３０に電力を提供し、前記無線伝送モジュール６０は、前記マウスモジュール３０が発送した信号を検知してから、無線通信モードを介して前記電子装置７０に伝送する。前記電子装置７０は、その内部に設けられた無線伝送モジュール７２を介して前記多機能マウス１０からの信号を受信する。
【００１１】
前記スピーカー機能を使用する場合、前記電源２０は、前記スピーカーモジュール４０に電力を提供し、前記電子装置７０は、前記無線伝送モジュール７２を介してオーディオを伝送する。前記多機能マウス１０の無線伝送モジュール６０は、前記電子装置７０からのオーディオを検知して前記スピーカーモジュール４０に伝送し、前記スピーカーモジュール４０は、オーディオ信号を受信した後、それを放送する。
【００１２】
前記マイクロホン機能を使用する場合、前記マイクロホンモジュール５０は、外界からのオーディオを受信してから、それを前記無線伝送モジュール６０に伝送する。前記無線伝送モジュール６０は、前記マイクロホンモジュール５０からの信号を検知して、無線通信モードを介して前記電子装置７０に伝送する。前記電子装置７０は、その内部に設けられた無線伝送モジュール７２を介して、前記マイクロホンモジュール５０からの信号を受信する。
【００１３】
本考案の多機能マウス１０は、スピーカー機能及びマイクロホン機能を備え、且つ無線信号を伝送することにより作動するため、前記電子装置７０の外接ポート及び補助設備が減少されるだけではなく、携帯及び使用も便利である。
【００１４】
以上、本考案の好適な実施形態について詳細に説明したが、本考案は前記実施形態に限定されるものではなく、本考案の範囲内で種々の変形又は修正が可能であり、該変形又は修正も又、本考案の特許請求の範囲内に含まれるものであることは、いうまでもない。
【符号の説明】
【００１５】
１０        多機能マウス
２０        電源
３０        マウスモジュール
４０        スピーカーモジュール
５０        マイクロホンモジュール
６０        無線伝送モジュール
７０        電子装置
７１        電源
７２        無線伝送モジュール
【図１】
0003167856.tif 000003
(57)【要約】      （修正有）【課題】便器の内部凹弧面の洗いにくい箇所を確実にこすり洗いすることができるとともに、素早く洗うことが可能なトイレブラシを提供する。【解決手段】ブラシ棒３１とグリップ３２とブラシヘッド３３とからなる。前記グリップは前記ブラシ棒の上端に設けられ、前記ブラシヘッドは前記ブラシ棒の下端に設けられ、前記ブラシヘッドの一端は切り取られて平面を形成し、前記ブラシヘッドの他端にはブラシ３３１が埋め込まれ、ブラシの反対の端部、即ちブラシヘッドの平面の端部の上端には補助ブラシ３４１が設けられる。【選択図】図３
0003167802.tif 000002
【実用新案登録請求の範囲】
【請求項１】
ブラシ棒とグリップとブラシヘッドとからなるトイレブラシであって、
前記グリップは前記ブラシ棒の上端に設けられ、前記ブラシヘッドは前記ブラシ棒の下端に設けられ、
前記ブラシヘッドの一端は切り取られて平面を形成し、前記ブラシヘッドの他端にはブラシが埋め込まれ、ブラシの反対の端部、即ちブラシヘッドの平面の端部の上端には補助ブラシが設けられることを特徴とする、トイレブラシ。
【請求項２】
前記トイレブラシのブラシヘッドにおける切り取られた平面の頂端の前縁は、凸台座を形成するとともに、補助ブラシが設けられることを特徴とする、請求項１に記載のトイレブラシ。
【考案の詳細な説明】
【技術分野】
【０００１】
本考案はトイレブラシに関し、特にトイレブラシのブラシの反対の端部に補助ブラシを設けることにより、その補助ブラシを上に引っ張って上に力を入れることで便器の内部凹弧面の汚れをこすり洗いすることができ、便器を完全にきれいにすることが可能なトイレブラシに関する。
【背景技術】
【０００２】
図１は、従来のトイレブラシを示した斜視図である。従来のトイレブラシは、ブラシ棒１１を備える。ブラシ棒１１の頂端には、使用者が握りやすいようにするために、グリップ１２が連結され、また、こすり洗いの際に力を入れやすくするために、ブラシ棒１１の底端にはブラシヘッド１３が連結され、さらに、ブラシヘッド１３にはブラシ１３１が埋め込まれている。そして、こすり洗いをしやすくするために、ブラシ棒１１とブラシヘッド１３は適切な傾斜角度をもつ設計になっている（図示せず）。しかしながら、トイレブラシ１で便器を洗う時、（図２も併せて参照する）、便器２の内部環状斜面２１及び排水孔２２の周辺は、トイレブラシ１のブラシ１３１によるこすり洗いできれいにすることができるものの、内部環状斜面２１の内部凹弧面２１１、及び、排水孔２２の内部凹頂端２２１は、凹部の孔が小さいため、トイレブラシ１のブラシヘッド１３が届きにくく、きれいに洗うことができない。
【考案の概要】
【考案が解決しようとする課題】
【０００３】
そこで、本考案は、便器の内部凹弧面の洗いにくい箇所を確実にこすり洗いすることができるとともに、素早く洗うことが可能なトイレブラシを提供することを目的とする。
【課題を解決するための手段】
【０００４】
本考案によるトイレブラシは、ブラシ棒とグリップとブラシヘッドとからなる。前記グリップは前記ブラシ棒の上端に設けられ、前記ブラシヘッドは前記ブラシ棒の下端に設けられ、前記ブラシヘッドの一端は切り取られて平面を形成し、前記ブラシヘッドの他端にはブラシが埋め込まれ、ブラシの反対の端部、即ちブラシヘッドの平面の端部の上端には補助ブラシが設けられる。
【考案の効果】
【０００５】
本考案を使用して便器のこすり洗いを行うと、補助ブラシによって内部凹弧面或いは排水孔の内部凹頂端に届かせることができるため、従来のトイレブラシが洗いにくかった箇所の汚れをきれいに洗うことができる。
【図面の簡単な説明】
【０００６】
【図１】従来のトイレブラシを示した斜視図である。
【図２】従来のトイレブラシでこすり洗いしにくい場所を示した説明図である。
【図３】本考案を示した斜視図である。
【図４】本考案で便器をこすり洗いしている状態を示した斜視図である。
【図５】本考案で便器をこすり洗いしている状態を示した断面図である。
【考案を実施するための形態】
【０００７】
まず、図３を参照する。図３は、本考案を示した斜視図である。トイレブラシ３は、ブラシ棒３１を備え、ブラシ棒３１の上端にはグリップ３２が設けられ、ブラシ棒３１の下端にはブラシヘッド３３が設けられ、ブラシヘッド３３の一端は、わざと切り取られて平面３３０を形成するとともに、ブラシヘッドには、平面３３０の部分を除いて、ブラシ３３１が埋め込まれる。従来の技術と異なる点は、ブラシ３３１の反対の端部、即ち、平面状３３０のブラシヘッド３３の頂端の前縁は、切り取られていない凸台座３４を形成するとともに、平面状３３０のブラシヘッド３３の頂端の前縁には補助ブラシ３４１が埋め込まれる、という点である。以上の構造によって、本考案を使用すると、ブラシ３３１で便器内部をこすり洗いすることができ、内部の凹部の洗いにくい箇所に対しては、凸台座３４に設けられた補助ブラシ３４１によって、きれいにこすり洗いすることができる。
【０００８】
本考案を使用したこすり洗いの動作に関しては、図４を参照する。便器２の内部環状斜面２１及び排水孔２２の周辺は、トイレブラシ３のブラシ３３１でこすり洗いしてきれいにすることができる。しかし、便器２の内部環状斜面２１の内部凹弧面２１１、及び、排水孔２２の内部凹頂端２２１は、トイレブラシ３のブラシヘッド３３が届きにくい場所である。そこで、凸台座３４に設けられた補助ブラシ３４１を上に引っ張り、補助ブラシ３４１を、内部凹弧面２１１或いは内部凹頂端２２１内に軽く進入させ（図５も併せて参照する）上下に力を入れてこすり洗いすると、汚れを確実にきれいにすることができるため、便利で実用性がある。
【符号の説明】
【０００９】
（従来技術）
１        トイレブラシ                    
１１      ブラシ棒       
１２      グリップ                        
１３      ブラシヘッド   
１３１    ブラシ                          
２        便器           
２１      内部環状斜面                    
２１１    内部凹弧面     
２２      排水孔                          
２２１    内部凹頂端     
（本考案）
３        トイレブラシ                    
３１      ブラシ棒       
３２      グリップ                        
３３      ブラシヘッド   
３３０    平面                            
３３１    ブラシ                          
３４      凸台座                          
３４１    補助ブラシ                      
【図１】
0003167802.tif 000003
【図２】
0003167802.tif 000004
【図３】
0003167802.tif 000005
【図４】
0003167802.tif 000006
【図５】
0003167802.tif 000007
(57)【要約】      （修正有）【課題】充電器に乾電池の電気量を調べられる機能を加えた充電器を提供する。【解決手段】現在普及している充電器の横に、乾電池や充電式乾電池の電気の残量を調べる部分を設けて、充電の他に、乾電池の電気の残量を豆電球の明るさで判断できる様にした。新しく設けた部分は、豆電球６をその正電極７と負電極８の間につないで、検査用の乾電池収納部９に乾電池を入れると回路がつながって豆電球６が点灯し、その発光する明るさで乾電池の電気の残量を判断するものである。豆電球６の回路は充電器の回路とは独立した別の回路なので充電器には何の影響も無い。そこで、乾電池の電気の残量が少ないとわかれば廃棄すれば良いし、家電製品に充電式乾電池を使用中でも取り外して、電気の残量を調べて少なければ次の充電式乾電池を予め充電しておけて便利である。【選択図】図１
0003167876.tif 000002
【実用新案登録請求の範囲】
【請求項１】
充電器の横に、充電器の回路から独立した回路に豆電球
または麦球またはＬＥＤを取り付け、その正電極と負電極を
有する乾電池収納部を設ける。乾電池を乾電池収納部に入
れた時の豆電球などの発光する明るさて゛乾電池の電気の
残量を知ることを特徴とする充電器。
【考案の詳細な説明】
【技術分野】
【０００１】
本考案は、充電器に乾電池の電気量を調べられる機能を
加えた充電器に関するものである。
【背景技術】
【０００２】
ソーラーパネルを取り付けた携帯用の充電器にＬＥＤを取り
付けて、照明用にも使用できる発明がされている。この発明
は自然エネルギーを利用して充電し、携帯電話やパソコンを
充電するには非常に優れている。しかし、この発明の目的は
ソーラーパネルで発電した電気を携帯電話やパソコンに充電
するのが主目的である。ＬＥＤの明るさでこの発明品の充電
状況はよくわかる。しかし、普通の乾電池や充電式乾電池の
電気の残量は調べられない。
【先行技術文献】
【特許文献】
【０００３】
【特許文献１】特開2006-136098号公報
【考案の概要】
【考案が解決しようとする課題】
【０００４】
考案が解決しようとする問題点は、従来の充電器では、充
電前の充電式乾電池の電気の残量を知るのは困難であった。
また、充電終了後の電池の充電状況も知りにくい。そこで充
電切れになって慌てて充電したり、少し早めに充電しておこう
と思っても電気の残量がわからないので、適当に充電するの
が常である。
【０００５】
また、普通の乾電池の電気の残量も従来の充電器で調べ
る事は不可能であった。そこで電池切れになってから慌てて
乾電池を買いに行ったり、充電式乾電池の電池切れに気付
いて慌てて充電しなければならなくなり、その間ストレスを感
を感じながら充電が完了するのを待たねばならなかった。
【課題を解決するための手段】
【０００６】
本考案は、従来の充電器の横に充電器と同じ様な乾電池
の収納部と電極を取り付ける。そして充電器のパイロットラン
プの他に豆電球を取り付けて、新しく設けた乾電池収納部
に乾電池を入れた時だけ点灯する様にしておく。
【０００７】
この豆電球は、充電器本体の回路とは別の回路なので、
新しく設けた乾電池収納部に乾電池が入った時だけ回路
が繋がって豆電球が点灯する仕組みである。
【考案の効果】
【０００８】
本考案の充電器は、従来の充電器の横にもう一つだけ充
電スペースを取り付けた様な構造なので、製造が比較的容
易である。また、構造も充電器本体の回路と別の、正極と負
極をつなぐ途中に豆電球を取り付けただけの構造なので製
造費もほとんど負担にならない。
【０００９】
乾電池の電気の残量を調べる時は、豆電球の回路の乾電
池収納部に乾電池を入れるだけで発光する豆電球の明るさ
で判断する。そこで手元にある乾電池の電気の残量が簡単
に調べられるので、廃棄すべきかどうかがすぐわかる。
【図面の簡単な説明】
【００１０】
【図１】図1は本考案の充電器に豆電球を使用した場合の、検査用の乾電池収納部に乾電池をセットして、豆電球が点灯している状態の平面図である。（実施例1）
【考案を実施するための形態】
【００１１】
従来の充電器に、乾電池の電気の残量を調べられると言
う機能を加えて、その機能を発光する豆電球の明るさで調
べるという簡単な方法で実現した。
【実施例１】
【００１２】
図1は、本考案装置の1実施例の平面図であって、乾電池
の電気の残量を明るさで示すために、豆電球を使用している。
図中、１は充電器本体、２は充電用の正電極、３は充電用の
負電極、４は充電式乾電池収納部、５はパイロットランプ、６
は豆電球、７は豆電球用の正電極、８は豆電球用の負電極、
９は検査用の乾電池収納部である。
【００１３】
この様に構成したので、本考案の充電器で充電する場合
は充電式乾電池収納部４に充電式乾電池を正しくセットして
充電する。十分に充電できているかどうか知りたい時には、
検査用の乾電池収納部９にセットして、豆電球６の明るさで
判断する。もう少し充電したい時には再充電すれば良い。
【００１４】
普通の乾電池の電気の残量を知りたい時にも、検査用の
乾電池収納部９にセットして、豆電球６の明るさで判断して必
要に応じて廃棄すれば良い。こうしておけば、電池切れの時
に慌てて入れ替えた乾電池も電池切れだったという事は無く
なる。
【産業上の利用可能性】
【００１５】
本考案の充電器は、従来の充電器にほんの少しの部品を
追加するだけで、従来の充電器には無かった乾電池の電気
の残量を調べられると言う新しい機能が加わった。
【００１６】
そこで、充電前にあらかじめ充電式乾電池の電気の残量
を調べておけるので、充電時間の予測が簡単である。また、
充電済みの充電式乾電池の充電状況も一目でわかって便
利である。
【００１７】
また、使用中の充電式乾電池の電気の残量も調べられる
ので、少し電気の残量が減りつつある時には、予め次の充
電式乾電池に充電しておくと便利である。予め充電した充電
式乾電池を本考案の充電器の側に置いておくと、それをいざ
と言う時に本考案の充電器の検査用の乾電池収納部にセッ
トすれば懐中電灯の役目も果たせる。
【符号の説明】
【００１８】
１    充電器本体
２    充電用の正電極
３    充電用の負電極
４    充電式乾電池収納部
５    パイロットランプ
６    豆電球
７    豆電球用の正電極
８    豆電球用の負電極
９    検査用の乾電池収納部
１０  乾電池
【図１】
0003167876.tif 000003
(57)【要約】      （修正有）【課題】液体用容器にスベリ止めシートを巻付け、シートの片端に装着したフックに他端に装着した輪ゴムを掛けるだけの簡単に着脱出来る容器ホルダーを提供する。【解決手段】筒状の飲料容器の外周よりも長さの短い帯状スベリ止めシート１と該スベリ止めシートの長手方向の両端部には、それぞれ輪ゴム３及びこの輪ゴムを掛けるフック２を設けると共に、両端部のそれぞれには、スベリ止めシート１の巾方向への折り曲りを防止するための形状成形部材４を設けて筒状の飲料容器ホルダーを形成する。【選択図】図１
0003167868.tif 000002
【実用新案登録請求の範囲】
【請求項１】
筒状の飲料容器の外周よりも長さの短い帯状スベリ止めシートと該スベリ止めシートの長手方向の両端部には、それぞれ輪ゴム及びこの輪ゴムを掛けるフックを設けると共に、両端部のそれぞれには、スベリ止めシートの巾方向への折り曲りを防止するための形状成形部材を設けたことを特徴とする筒状の飲料容器ホルダー。
【考案の詳細な説明】
【技術分野】
【０００１】
本考案は液体用容器のホルダーに関する。
【背景技術】
【０００２】
牛乳の１リットル紙パック容器は冷蔵庫内の限られたスペースに容器ホルダーを取付けたまま挿入することは不可能であった。文献特開２００８−２５４７４８号公報の容器ホルダーは角形の容器にしか使用出来ず暮らしに馴染まない。
【先行技術文献】
【特許文献】
【０００３】
【特許文献１】特開２００８−２５４７４８号公報
【考案の開示】
【考案が解決しようとする課題】
【０００４】
各種類の液体用容器は片手で把握した際、すべり落とすリスクがあるので、そのストレスを解消したかった。
【課題を解決するための手段】
【０００５】
筒状の飲料容器の外周よりも長さの短い帯状スベリ止めシートと該スベリ止めシートの長手方向の両端部には、それぞれ輪ゴム及びこの輪ゴムを掛けるフックを設けると共に、両端部のそれぞれにはスベリ止めシートの巾方向への折曲りを防止するための形状成形部材を設けたことを特徴とする筒状の飲料容器ホルダー。
【考案の効果】
【０００６】
本考案は液体用容器の外周にスベリ止めシートをワンタッチで取付け取外しが出来て液体が充填された重くて滑り易い容器を把握した際、柔軟なスベリ止めシートが握力を高め把握力の弱い子供、高齢者、病身の方々はとても安易に液体用容器が取り扱えた。
【図面の簡単な説明】
【０００７】
【図１】本考案のスベリ止めシートの正面図である。
【図２】スベリ止めシートの底面図である。
【図３】スベリ止めシート端部に取付けの形状成形部材の正面図である。
【図４】スベリ止めシート端部に取付けの形状成形部材の右側図面である。
【図５】牛乳の１リットル紙製開口容器にスベリ止めシートを巻付け、フックに輪ゴムを掛けた使用例を示す斜視図である。
【考案を実施するための形態】
【０００８】
液体用容器にスベリ止めシートを巻付けシートの片端に装着したフックに他端に装着した輪ゴムを掛けるだけの簡単に着脱出来る容器ホルダー。
【実施例】
【０００９】
牛乳パック（高さ２３ｃｍ、一辺７ｃｍの紙パック）に用いる本願容器ホルダーについて図１から図５にもとづき説明する。
まず図１は本考案の容器ホルダーを拡げた時の正面図を示す。帯状スベリ止めシート１の材質は塩化ビニール樹脂で厚さ２mm、巾６ｃｍ、長さ２６ｃｍで網目は2ｍｍ程の市販品で液体容器に取付けた容器ホルダーを把握すると指先になじみ紙パックとすべり止めシートは一体感となり、ソフトな材質が容器表面のすべりを吸収し、容易につかみ、すべり落とすリスクがなくなりストレスが解消した。
図２はスベリ止めシートの底面図で長手方向の両端部には係止部材２と形状成形部材４−１を設け、それぞれシートで挟んで接着した４は輪ゴムを掛ける目的のフックなのでシートに切込みを入れ、そこからフック部分をシート外に出した。
【産業上の利用可能性】
【００１０】
軽量で取り扱いが簡単で利便に優れているので普及が見込まれ液体用容器に関する産業界の大量生産も可能。
【符号の説明】
【００１１】
１  スベリ止めシート。
２  スベリ止めシート端部に取付けの係止部材。
３  係止部材に取付けた輪ゴム
４  形状成形部材の平面図。  ４−１の破線部分はスベリ止めシートにはさみ込み接着固定する。
５  破線はスベリ止めシートを折り曲げた末端部。
６  スベリ止めシートの接着部。
７  牛乳１リットルの開口容器に本考案の容器ホルダーを装着した使用例を示す斜視図である。
【図１】
0003167868.tif 000003
【図２】
0003167868.tif 000004
【図３】
0003167868.tif 000005
【図４】
0003167868.tif 000006
【図５】
0003167868.tif 000007
(57)【要約】      （修正有）【課題】汎用の電動ドリル、或いは、電動ドライバを装着することができ、それらを原動機（振動部に回転駆動力を供給するための原動機）として利用することができるコンクリートバイブレータを提供する。【解決手段】このコンクリートバイブレータ１は、内部にドライブシャフト５が挿通された中空ロッド２と、偏心振子６が配置された振動部３とを有している。中空ロッド２の上端部２ａには、正六角形の受け口が開口するコネクタ８が垂直軸線周りに回動可能な状態で保持されており、このコネクタ８から、ドライブシャフト５を介して、振動部３へ回転駆動力を伝達できるようになっている。【選択図】図１
0003167869.tif 000002
【実用新案登録請求の範囲】
【請求項１】
上端面において正六角形の受け口が開口するコネクタが垂直軸線周りに回動可能な状態で保持され、内部にドライブシャフトが挿通された中空ロッドと、
偏心振子が配置された振動部と、を有し、
前記コネクタから、前記ドライブシャフトを介して、前記振動部へ回転駆動力を伝達できるように構成されていることを特徴とするコンクリートバイブレータ。
【請求項２】
前記振動部に、表面仕上げ用の振動板が取り付けられていることを特徴とする、請求項１に記載のコンクリートバイブレータ。
【考案の詳細な説明】
【技術分野】
【０００１】
本考案は、コンクリートバイブレータに関し、特に、型枠と、打設された生コンクリートとの境界面に存在する気泡を除去することにより、形成されるコンクリート躯体表面を平滑に仕上げることができる表面仕上げ用コンクリートバイブレータ等のように、限定的な用途に用いられるコンクリートバイブレータに関する。
【背景技術】
【０００２】
コンクリートバイブレータは、偏心振子を内蔵する振動部と、電動モーター等の原動機と、それらを接続する接続部とによって構成されているものが多く、一般的には、原動機から接続部を介して振動部に供給される回転駆動力によって偏心振子が回転し、振動部が振動して、生コンクリートに振動が伝達されるようになっている。
【先行技術文献】
【特許文献】
【０００３】
【特許文献１】特開２０００−２７４４０号公報
【考案の概要】
【考案が解決しようとする課題】
【０００４】
一般的なコンクリートバイブレータにおいて使用される原動機としては、連続使用時間、出力等の使用条件を考慮したうえで、専用の電動モーターが採用されており、通常は、接続部に対して固定状態で取り付けられている。しかしながら、用途が限定された特殊なコンクリートバイブレータ（例えば、表面仕上げ用のコンクリートバイブレータ等）においては、連続使用時間は比較的短くて済む一方で、振動部の先端に取り付けられる部材（振動板等）の形状について、細かな用途毎に多数のバリエーションが存在しており、それらの一つ一つに専用の電動モーターを個別に取り付けると、製品単価が高くなり、経済的ではない。
【０００５】
本考案は、上記のような従来の問題を解決すべくなされたものであって、電動ドリル、或いは、電動ドライバを装着することができ、それらを、振動部に回転駆動力を供給するための原動機として利用することができるコンクリートバイブレータを提供することを目的とする。
【課題を解決するための手段】
【０００６】
本考案に係るコンクリートバイブレータは、上端面において正六角形の受け口が開口するコネクタが垂直軸線周りに回動可能な状態で保持され、内部にドライブシャフトが挿通された中空ロッドと、偏心振子が配置された振動部と、を有し、コネクタから、ドライブシャフトを介して、振動部へ回転駆動力を伝達できるように構成されていることを特徴としている。尚、振動部には、表面仕上げ用の振動板、或いは、その他の用途に用いられる部材を取り付けることができる。
【考案の効果】
【０００７】
本考案に係るコンクリートバイブレータは、汎用の電動ドリル等を原動機として利用することができるため、専用の原動機を付帯させることなく構成することができ、その結果、製品単価を劇的に低廉化することができる。
【図面の簡単な説明】
【０００８】
【図１】図１は、本考案に係るコンクリートバイブレータ１の正面図、及び、側面図である。
【図２】図２は、図１のコンクリートバイブレータ１の中空ロッド２の上端部２ａの斜視図である。
【考案を実施するための形態】
【０００９】
以下、添付図面に沿って、本考案に係るコンクリートバイブレータの実施形態について説明する。図１は、本考案に係るコンクリートバイブレータ１（表面仕上げ用コンクリートバイブレータ）の正面図、及び、側面図である。この図に示すように、本実施形態のコンクリートバイブレータ１は、下端に振動部３を有する中空ロッド２と、振動部３に取り付けられた振動板４とによって構成されている。
【００１０】
中空ロッド２の内部には、ドライブシャフト５が挿通されており、このドライブシャフト５は、中空ロッド２の上端部２ａから、下端の振動部３へ、回転駆動力を伝達できるようになっている。振動部３には、偏心振子６が配置されており、ドライブシャフト５を介して伝達される回転駆動力を受けて回転し、振動するように構成されている。そして、この振動が、振動部３に取り付けられている振動板４に伝わるようになっている。
【００１１】
図２は、中空ロッド２の上端部２ａの斜視図である。図示されているように、この上端部２ａには、上端面において正六角形の受け口７が開口するコネクタ８が装着されている。このコネクタ８は、垂直軸線周りに回動可能な状態で上端部２ａ内に保持されており、ドライブシャフト５と接続されている。
【００１２】
このコンクリートバイブレータ１を使用する場合、汎用の電動ドリル（或いは、電動ドライバ）の先端に六角ビット（口径が一致するもの）を装着し、この六角ビットをコネクタ８の受け口７内に差し込み、トリガーを引いて電動ドリルを駆動させる。そうすると、回転駆動力が、コネクタ８及びドライブシャフト５を介して振動部３に伝達され、振動部３及び振動板４が振動する。
【００１３】
このように、本実施形態のコンクリートバイブレータ１は、汎用の電動ドリル等を原動機として利用することができるため、専用の原動機が付帯しておらず、製品単価を劇的に低廉化することができる。
【００１４】
尚ここでは、本考案に係るコンクリートバイブレータを、表面仕上げ用コンクリートバイブレータに適用した例について説明したが、適用対象は表面仕上げ用のものには限定されず、他の用途に用いられるコンクリートバイブレータに適用することもできる。
【符号の説明】
【００１５】
１：コンクリートバイブレータ、
２：中空ロッド、
２ａ：上端部、
３：振動部、
４：振動板、
５：ドライブシャフト、
６：偏心振子、
７：受け口、
８：コネクタ
【図１】
0003167869.tif 000003
【図２】
0003167869.tif 000004
(57)【要約】【課題】十分な光量を得ることができ、低コストで良好な演色性を得ることができる照明装置を提供する。【解決手段】照明装置Ａは、光源１と、光源１の後方に配置され、光源１からの入射光を前方に向かった反射させる反射部材２と、光源１からの直接光及び反射部材２による反射光を前方に向かって拡散させるレンズカバー３と、レンズカバー３の前方に配置され、光源１の発光色を調整するように着色された色付きフィルター４と、光源１と電気的に接続されている口金５とを有する。光源１は、回路基板１ａ上に複数のＬＥＤ１ｂを実装して構成されている。【選択図】  図１
0003167861.tif 000002
【実用新案登録請求の範囲】
【請求項１】
光源と、
当該光源から発光された光を前方に向かって拡散させるレンズカバーと、
当該レンズカバーの前方に配置され、前記光源の発光色を調整するように着色された色付きフィルターと、
を有することを特徴とする照明装置。
【請求項２】
前記光源は、ＬＥＤであることを特徴とする請求項１に記載の照明装置。
【請求項３】
前記色付きフィルターは、プラスチックで作られていることを特徴とする請求項１又は２に記載の照明装置。
【考案の詳細な説明】
【技術分野】
【０００１】
本考案は照明装置に関し、特に、発光ダイオード（以下、ＬＥＤ（Light Emitting Diode）という）等の光源を用いた照明装置に関する。
【背景技術】
【０００２】
近年、ＬＥＤの長寿命かつ低消費電力の特徴を活かした種々の照明装置が開発されている。
【０００３】
ＬＥＤを用いた照明装置では、他の既存の照明装置（例えば白熱電球）に比べ演色性が低いという問題があった。例えば青色ＬＥＤチップに黄色の蛍光体を塗布することにより擬似白色を作り出す方法では、平均演色評価数Ｒａは８０以下となり低かった。
【０００４】
そこで、ＬＥＤの演色性を改善するために、従来から種々の技術が提案されている。
【０００５】
例えば青色ＬＥＤチップの表面に特殊な蛍光体（例えば赤色の蛍光体と緑色の蛍光体）を重ねて塗布することにより平均演色評価数Ｒａを９５程度まで引き上げることが可能である（以下、この技術を従来例１という）。
【０００６】
また、特許文献１には、白色ＬＥＤに赤色ＬＥＤを追加することにより演色性を改善した照明装置が提案されている（以下、この技術を従来例２という）。
【特許文献１】特開２００４−３６３０５５号公報
【考案の概要】
【考案が解決しようとする課題】
【０００７】
従来例１では、青色ＬＥＤチップの表面に特殊な蛍光体を重ねて塗布するため、ＬＥＤの発光輝度が大幅に低下してしまい、十分な光量を得ることができないという課題があった。
【０００８】
従来例２では、白色ＬＥＤと赤色ＬＥＤとで各々に電源回路が必要でありコストが高くなってしまい、しかも、白色ＬＥＤ及び赤色ＬＥＤそれぞれの光束減退による光量低下の程度の相違等に起因して演色性の経時変化が大きくなってしまうという課題があった。
【０００９】
本考案は、上記課題を解決するためになされたものであり、十分な光量を得ることができ、低コストで良好な演色性を得ることができる照明装置を提供することを目的とする。
【課題を解決するための手段】
【００１０】
本考案の照明装置は、
光源と、
当該光源から発光された光を前方に向かって拡散させるレンズカバーと、
当該レンズカバーの前方に配置され、前記光源の発光色を調整するように着色された色付きフィルターと、
を有することを特徴とするものである。
【００１１】
前記光源は、ＬＥＤであってもよい。
【００１２】
前記色付きフィルターは、プラスチックで作られていてもよい。
【考案の効果】
【００１３】
本考案によれば、光源から出射された光は、レンズカバーによって拡散され、レンズカバーから出射された光は、色付きフィルターを通って、外部に放射される。
これによって、色付きフィルターが光源から出射された光の発光色を調整するように着色されているので、十分な光量で高い演色性を奏する照明装置や用途に応じた照明装置を提供できる。
また、色付きフィルターを用いるだけであるので、製造コストを低減できる。
【図面の簡単な説明】
【００１４】
【図１】本考案の実施形態例に係る照明装置を示す断面図である。
【考案を実施するための最良の形態】
【００１５】
以下、本考案の実施の形態について図面を参照して説明する。図１は本考案の実施形態例に係る照明装置を示す断面図である。
【００１６】
図１に示すように、本考案の第１の実施形態例に係る照明装置Ａは、光源１と、光源１の周囲に配置され、光源１からの入射光を前方に向かった反射させる反射部材２と、光源１からの直接光及び反射部材２による反射光を前方に向かって拡散させるレンズカバー３と、レンズカバー３の前方に配置され、光源１の発光色を調整するように着色された色付きフィルター４と、光源１と電気的に接続されている口金５とを有する。
【００１７】
光源１は、回路基板１ａ上に複数のＬＥＤ１ｂを実装して構成されている。
【００１８】
各ＬＥＤ１ｂは、例えば、青色光を出射するＧａＮ等の青色ＬＥＤチップと、青色ＬＥＤチップの光によって励起されて発光する粒子状の黄色蛍光体を樹脂等に分散させた色変換部とを有し、青色ＬＥＤチップからの光と色変換部からの光との合成光からなる白色の光（白色発光スペクトル）を得るものである。
【００１９】
色付きフィルター４は、例えば赤色、青色、緑色、黄色等に着色されており、また濃淡を付けているものでもよく、プラスチック等の合成樹脂で作られている。
【００２０】
色付きフィルター４は、光源１から出射された光の発光色を調整するように着色されており、例えば赤色に着色された色付きフィルターを用いることにより、平均演色評価数Ｒａが９５以上の高い演色性を奏する照明装置Ａを提供できる。
【００２１】
また、例えば食肉用に赤色を強調したり、野菜用に緑色を強調したり、冬場に暖かい色を強調したり、夏場に冷たい色を強調するように、用途に合わせて着色することにより発光色を調整することが可能である。
【００２２】
本考案の実施形態例に係る照明装置Ａによれば、光源１から出射された光は、レンズカバー３によって拡散され、レンズカバー３から出射された光は、色付きフィルター４を通って、外部に放射される。
これによって、色付きフィルター４が光源から出射された光の発光色を調整するように着色されているので、十分な光量で高い演色性を奏する照明装置や用途に応じた照明装置を提供できる。
また、色付きフィルター４を用いるだけであるので、製造コストを低減できる。
【００２３】
本考案は、上記実施の形態に限定されることはなく、実用新案登録請求の範囲に記載された技術的事項の範囲内において、種々の変更が可能である。
【００２４】
例えば、光源１として白色電球を用いてもよい。その場合、色付きフィルター４は高温に耐えられる耐熱性の材料で作られているのが好ましい。
【産業上の利用可能性】
【００２５】
本考案は、ＬＥＤ等の光源を用いた照明装置に用いられる。
【符号の説明】
【００２６】
Ａ：照明装置
１：光源
１ａ：回路基板
１ｂ：ＬＥＤ
２：反射部材
３：レンズカバー
４：色付きフィルター
５：口金
【図１】
0003167861.tif 000003
(57)【要約】【課題】内容物である焼物が割れにくく、保管及び展示も容易な缶詰にした焼物商品を提供する。【解決手段】陶器又は磁器からなる焼物１１を、緩衝材１２で覆って缶１３に入れて密閉し缶詰にした焼物商品１０であり、緩衝材１２は気泡緩衝材であって、焼物１１を包んでいるのが好ましく、缶１３は上蓋１４が全面開口するイージーオープン缶であるのが好ましい、缶１３の周囲には内部に収納している焼物１１の絵が記載されているのが好ましい。【選択図】図１
0003167835.tif 000002
【実用新案登録請求の範囲】
【請求項１】
陶器又は磁器からなる焼物を、緩衝材で覆って缶に入れて密閉し缶詰にしたことを特徴とする缶詰にした焼物商品。
【請求項２】
請求項１記載の缶詰にした焼物商品において、前記緩衝材は気泡緩衝材であって、前記焼物を包んでいることを特徴とする缶詰にした焼物商品。
【請求項３】
請求項１又は２記載の缶詰にした焼物商品おいて、前記缶は上蓋が全面開口するイージーオープン缶であることを特徴とする缶詰にした焼物商品。
【請求項４】
請求項１〜３のいずれか１記載の缶詰にした焼物商品において、前記缶の周囲には焼物の絵が描かれていることを特徴とする缶詰にした焼物商品。
【請求項５】
請求項１〜３のいずれか１記載の缶詰にした焼物商品において、前記缶の周囲には内部に収納している前記焼物の絵が記載されていることを特徴とする缶詰にした焼物商品。
【考案の詳細な説明】
【技術分野】
【０００１】
本考案は、陶器又は磁器からなる焼物を缶詰にして、流通性や保管性を高めた缶詰にした焼物商品に関する。
【背景技術】
【０００２】
従来、陶器又は磁器等の焼物は、店頭に並べて販売され、注文が確定した後は割れないように新聞紙等に包んで販売される。そして、高価な焼物の場合は、内部に収納空間を有する誂えの箱に入れて展示販売されている。
一方、特許文献１に記載されているように食品や、特許文献２に記載のように飲料を缶詰にすることは知られている。
【先行技術文献】
【特許文献】
【０００３】
【特許文献１】特開２００４−２７５０９０号公報
【特許文献２】特開２００１−１７１６３９号公報
【考案の概要】
【考案が解決しようとする課題】
【０００４】
しかしながら、焼物を新聞紙又は木箱等に入れて販売すると、途中で落とすと焼物が割れることがある。このため、木箱等を更に緩衝材で包むと、内容物が判らなくなるという問題があった。
一方、以上に説明した特許文献１、２のように、食品や飲料を缶に密封して販売することは一般に行われているが、割れ易い焼物を缶詰にして販売することは行われていなかった。
【０００５】
本考案は、かかる事情に鑑みてなされたもので、内容物である焼物が割れにくく、保管及び展示も容易な缶詰にした焼物商品を提供することを目的とする。
【課題を解決するための手段】
【０００６】
前記目的に沿う第１の考案に係る缶詰にした焼物商品は、陶器又は磁器からなる焼物を、緩衝材で覆って缶に入れて密閉し缶詰にしている。ここで、缶の形状は、円筒形、角形、その他の変形形状であってもよい。また、缶は鉄、アルミ、これらの合金製であるものを含む。
【０００７】
第２の考案に係る缶詰にした焼物商品は、第１の考案に係る缶詰にした焼物商品において、前記緩衝材は気泡緩衝材であって、前記焼物を包んでいる。
【０００８】
第３の考案に係る缶詰にした焼物商品は、第１、第２の考案に係る缶詰にした焼物商品において、前記缶は上蓋が全面開口するイージーオープン缶である。ここで、イージーオープン缶は通称「パッ缶（商標名）」と呼ばれることもある。
【０００９】
第４の考案に係る缶詰にした焼物商品は、第１〜第３の考案に係る缶詰にした焼物商品において、前記缶の周囲には焼物の絵（写真も含む）が描かれている。
【００１０】
そして、第５の考案に係る缶詰にした焼物商品は、第１〜第３の考案に係る缶詰にした焼物商品において、前記缶の周囲には内部に収納している前記焼物の絵が記載されている。
以上のように缶の周囲に焼物の絵を記載する場合は、焼物を記載したシールを貼る場合、缶の周囲に直接描く場合のいずれであってもよい。
【考案の効果】
【００１１】
本考案に係る缶詰にした焼物商品では以下のような効果を有する。
（１）陶器又は磁器からなる焼物を緩衝材で覆って缶詰にしているので、多少の衝撃を与えても内容物が破損しない。従って、搬送及び保管が容易である。
（２）更に、缶の周囲に焼物の絵、又は内容物である焼物の絵を記載した場合は、内容物の確認が容易にできる。
【図面の簡単な説明】
【００１２】
【図１】本考案の一実施の形態に係る缶詰にした焼物商品の斜視図である。
【図２】同缶詰にした焼物商品の断面図である。
【図３】緩衝材の説明図である。
【考案を実施するための形態】
【００１３】
図１、図２に示すように、本考案の一実施の形態に係る缶詰にした焼物商品１０は、磁器又は陶器からなる焼物１１と、焼物１１を覆って配置される緩衝材１２と、これらを収納し密閉して缶詰にする缶１３とを有している。以下、これらについて詳しく説明する。
【００１４】
焼物１１としては、例えば、コップ、急須、花瓶、灰皿、物入れ、茶器等その種類には限定されない。緩衝材１２は、図３に示すように、気泡を設けた合成樹脂シートからなる気泡緩衝材（通称「プチプチ」（商標名））を使用するのが好ましいが、包んだ焼物１１を缶１３に入れた場合、焼物１１の移動が制限されるものであれば、その他のシート状又は紐状のものであってもよい。
また、緩衝材として、内側に焼物を収納できる空間を形成した発泡プラスチック等であってもよい。
【００１５】
缶１３は鉄製、アルミ製のいずれか一方又は双方を使用するのが好ましいが、上蓋１４の全面開口が容易なイージーオープン缶を使用するのがよい。なお、従来タイプの缶切り等の道具を用いて開蓋するものであってもよい。
【００１６】
缶１３の形状は、円筒形、立方体、直方体等、焼物の形状に合わせて製作する。
緩衝材１２で包んだ焼物１１を缶１３に入れた場合、缶１３の内部壁と隙間がある場合、更に緩衝材を充填するのがよい。この場合の緩衝材は粉状、粒状、布状、その他の固形状であってもよく、内部の焼物１１が前後左右及び上下に移動しないようにしておく。
【００１７】
缶１３の周囲には、内容物である焼物１１の写真又は絵等を表示してあるのが好ましい（図１では絵又は写真は省略している）。この写真、絵の表示の方法は、ラベル又はその他のシートに記載して、缶１３の周壁に貼り付けてもよいし、缶１３に直接記載してもよい。また、焼物を象徴する絵又は写真を缶１３の周囲に設けることもできる。
【００１８】
缶１３をあける場合、缶１３の上部にあるプルタブ１５を引いて、上蓋１４を全開させ、内容物である焼物１１を緩衝材１２と共に取り出す。
なお、焼物１１がコップ等の場合、更にコップの中に別の緩衝材等を入れるのが好ましい。
【００１９】
本考案は実施の形態に限定されるものではなく、本考案の要旨を変更しない形状変更や材料変更をした場合も、本考案は適用される。
【符号の説明】
【００２０】
１０：缶詰にした焼物商品、１１：焼物、１２：緩衝材、１３：缶、１４：上蓋、１５：プルタブ
【図１】
0003167835.tif 000003
【図２】
0003167835.tif 000004
【図３】
0003167835.tif 000005
(57)【要約】【課題】はし立てパイプを洗うのを簡単に出来るはし立て具を提供する。【解決手段】はし立てパイプをはし立てホルダーから取りはずし出来るようにする。はし立てパイプ外径をはし立てホルダーの内径より１ミリ小さくして出し入れ出来るようにする。よってはし立てパイプを取り出し、はし立てパイプだけ洗えば良くなり簡単になる。【選択図】図１
0003167773.tif 000002
【実用新案登録請求の範囲】
【請求項１】
はし立てパイプの外径をはし立てホルダーの内径より１ミリ小さくしてはし立てパイプを出し入れ出来ることを特徴とするはし立て。
【考案の詳細な説明】
【技術分野】
【００１】本考案ははしを立てる時に使用される道具に関する。
【背景技術】
【００２】従来はゴムのベースとはし立てホルダーが一体となっていた。
はし立てホルダーを洗うのが大変だった。
【考案の概要】
【考案が解しようとする課題】
【００３】はし立ては細長いパイプ状の物を使用するので洗うのが大変だという問題点があった。
【課題を解決するための手段】
【００４】ゴムのベースにはし立てホルダーを接着剤で固定する。はし立てパイプの外径をはし立てホルダーの内径より１ミリ小さくして出し入れ出来ることを特徴とする。
【考案の効果】
【００５】はし立てパイプが取りはずし出来るのではし立てパイプを洗うのが簡単になった。
【図面の簡単な説明】
【００６】
【図１】本考案した取りはずし可能なはし立ての側面方向からの断面図である。
【図２】本考案した取りはずし可能なはし立ての平面図である。
【図３】本考案した取りはずし可能なはし立ての使用状況をしめす側面図である。
【符号の説明】
【００７】１  ベース
２  はし立てホルダー
３  はし立てパイプ
４  はし
【図１】
0003167773.tif 000003
【図２】
0003167773.tif 000004
【図３】
0003167773.tif 000005
(57)【要約】      （修正有）【課題】顔部における口部又は目部の位置、形状等を極めて容易に変化させることにより、顔部の表情の変化を楽しむことができるようにした縫いぐるみを提供する。【解決手段】起毛布部材１により形成した袋状体３内に詰め物を充填してなる縫いぐるみにおいて、顔部７における口部９（目部１９）を糸状部材１１により形成し、該糸状部材の両端１１ａ、１１aを顔部に固定し、該糸状部材における該両端間の部分１１ｂを上下方向に移動可能にしたことを特徴とする。【選択図】図１
0003167713.tif 000002
【実用新案登録請求の範囲】
【請求項１】
起毛布部材により形成した袋状体内に詰め物を充填してなる縫いぐるみにおいて、
顔部における口部又は目部を糸状部材により形成し、該糸状部材の両端を顔部に固定し、該糸状部材における該両端間の部分を上下方向に移動可能にしたことを特徴とする縫いぐるみ。
【請求項２】
前記口部又は目部を上下一対の糸状部材により形成し、各糸状部材の両端を顔部に固定し、各糸状部材における該両端間の部分を相互に接離する上下方向に移動可能ならしめたことを特徴とする請求項１に記載の縫いぐるみ。
【考案の詳細な説明】
【技術分野】
【０００１】
本考案は、縫いぐるみに関するものである。
【背景技術】
【０００２】
縫いぐるみは、例えば実用新案登録第３０２７８７０号公報に示すように、起毛布部材（起毛させた布部材）により形成した袋状体内にワタ、スポンジ等の詰め物を充填してなるものが従来より広く知られている。縫いぐるみは、例えば動物、人等を模してなるものが多くの人々に愛用されている。以下、これらの縫いぐるみを「従来の縫いぐるみ」という。
【先行技術文献】
【特許文献】
【０００３】
【特許文献１】実用新案登録第３０２７８７０号公報
【考案の概要】
【考案が解決しようとする課題】
【０００４】
しかるに、上記従来の縫いぐるみにおいては、顔部における口部及び目部は固定されており、動かすことができないため、縫いぐるみの使用者は顔部の表情を変化させることができない。
【０００５】
このような状況に鑑み、本考案は、顔部における口部又は目部の位置、形状等を極めて容易に変化させることにより、顔部の表情の変化を楽しむことができるようにした縫いぐるみを提供しようとしてなされたものである。
【課題を解決するための手段】
【０００６】
上記課題を解決するために、本考案は、下記の縫いぐるみを提供するものである。
【０００７】
（１）起毛布部材により形成した袋状体内に詰め物を充填してなる縫いぐるみにおいて、
顔部における口部又は目部を糸状部材により形成し、該糸状部材の両端を顔部に固定し、該糸状部材における該両端間の部分を上下方向に移動可能にしたことを特徴とする縫いぐるみ（請求項１）。
【０００８】
（２）前記口部又は目部を上下一対の糸状部材により形成し、各糸状部材の両端を顔部に固定し、各糸状部材における該両端間の部分を相互に接離する上下方向に移動可能ならしめる（請求項２）。
【考案の効果】
【０００９】
本考案によれば、縫いぐるみの使用者は、顔部における口部又は目部を形成する糸状部材における前記両端間の部分を上下方向に移動させることにより、顔部における口部又は目部の形状を変化させることができる。換言すれば、縫いぐるみの使用者は、顔部の表情の変化を楽しむことができる。したがって、例えば、友人間、家族間、夫婦間等において、顔部における口部又は目部の形状を変化させることにより、何らかの意思表示ないし伝言を行うことも可能である。因みに、顔部も起毛布部材により形成されているため、口部又は目部を形成する糸状部材を上下方向に移動させたときには、該糸状部材は当該移動後の所望の位置に保持される。
【図面の簡単な説明】
【００１０】
【図１】図１は、本考案による縫いぐるみの一例を示す斜視図である。
【図２】図２は、同上縫いぐるみにおいて、顔部における口部を形成する糸状部材を上方に移動させた状態を示す斜視図である。
【図３】図３は、本考案による縫いぐるみの別の一例を示す斜視図である。
【図４】図４は、同上縫いぐるみにおいて、顔部における口部を形成する糸状部材を相互に接近する方向に移動させた状態を示す斜視図である。
【図５】図５は、起毛布部材と糸状部材とを示す断面図である。
【図６】図６は、本考案による縫いぐるみの更に別の一例を示す斜視図である。
【図７】図７は、本考案による縫いぐるみの更に別の一例を示す斜視図である。
【考案を実施するための形態】
【００１１】
本考案の縫いぐるみは、起毛布部材１により形成した袋状体３内に詰め物５を充填してなる点においては、上記従来の縫いぐるみと同様である。起毛布部材１としては、例えばフェルト、綿等が使用される。詰め物５としては、例えばワタ、スポンジ等が使用される。符号１ａに示すものは、起毛布部材１の表面に形成された起毛である。
【００１２】
しかして、本考案においては、縫いぐるみの顔部７における口部９（又は目部１９）を糸状部材１１（２１）により形成し、該糸状部材１１（２１）の両端１１ａ、１１ａ（２１ａ、２１ａ）を顔部７に固定し、該糸状部材１１（２１）における該両端１ａ、１１ａ（２１ａ、２１ａ）間の部分１１ｂ（２１ｂ）を上下方向に移動可能になす。糸状部材１１（２１）は、例えば綿製のレース糸、刺繍糸、毛糸、ゴム部材等とする。
【００１３】
図１においては、口部９を形成する糸状部材１１は、下方に湾曲しており、顔部７は優しい表情を示している。
【００１４】
図２においては、口部９を形成する糸状部材１１は、上方に湾曲しており、顔部７は怒ったような表情を示している。
【００１５】
図３、図４においては、前記口部９を上下一対の糸状部材１１、１１により形成し、各糸状部材１１の両端１１ａ、１１ａを顔部７に固定し、各糸状部材１１における該両端１１ａ、１１ａ間の部分１１ｂを相互に接離する上下方向に移動可能ならしめている。
【００１６】
図３においては、口部９を形成する糸状部材１１、１１は、上下方向に湾曲しており、該口部９は開いている。
【００１７】
図４においては、口部９を形成する糸状部材１１、１１は、相互に近接しており、該口部９は閉じている。
【００１８】
図６においては、目部１９を形成する糸状部材２１は、上方に湾曲しており、顔部７は笑ったような表情を示している。
【００１９】
図７においては、目部１９を形成する上下一対の糸状部材２１、２１は、上下方向に湾曲しており、該目部１９は開いている。
【符号の説明】
【００２０】
１  起毛布部材
１ａ  起毛
３  袋状体
５  詰め物
７  顔部
９  口部
１１  糸状部材
１１ａ  端
１１ｂ  部分
１９  目部
２１  糸状部材
２１ａ  端
２１ｂ  部分
【図１】
0003167713.tif 000003
【図２】
0003167713.tif 000004
【図３】
0003167713.tif 000005
【図４】
0003167713.tif 000006
【図５】
0003167713.tif 000007
【図６】
0003167713.tif 000008
【図７】
0003167713.tif 000009